(57)【特許請求の範囲】
【請求項１】
空気を圧縮する圧縮機と、燃料と空気を燃焼させる燃焼器と、該燃焼器で燃焼した燃焼ガスにより駆動するタービンと、該圧縮機で圧縮した空気を加湿して前記燃焼器に加湿空気を供給する増湿器を備えたガスタービンシステムにおいて、
前記増湿器に散布する水を供給する給水系統と、該増湿器をバイパスして該給水系統の水を前記水回収装置に排出する排水系統とを配設し、
前記燃焼器における燃空比を、燃焼器への燃料流量，圧縮機から吐出される空気圧力、及び増湿器から燃焼器に供給される空気温度から算出される加湿量に基づいて演算し、失火限界となる燃空比の値には加算すべき閾値を設定し、前記閾値は燃焼器の燃料流量を増加する場合の閾値が燃料流量を減少する場合の閾値よりも大きくなるよう設定し、この演算した前記燃空比が失火限界の燃空比に閾値を加算した値よりも大きくなるように、前記給水系統、及び排水系統の少なくとも一方の系統を流れる水の流量を制御することにより前記増湿器の水散布の運転を行う制御装置を設けたことを特徴とするガスタービンシステム。
【請求項２】
空気を圧縮する圧縮機と、燃料と空気を燃焼させる燃焼器と、該燃焼器で燃焼した燃焼ガスにより駆動するタービンと、該圧縮機で圧縮した空気を加湿して前記燃焼器に加湿空気を供給する増湿器を備えたガスタービンシステムの運転方法において、
前記燃焼器における燃空比を燃焼器への燃料流量，圧縮機から吐出される空気圧力、及び増湿器から燃焼器に供給される空気温度から算出される加湿量に基づいて演算し、失火限界となる燃空比の値には加算すべき閾値を設定し、前記閾値は燃焼器の燃料流量を増加する場合の閾値が燃料流量を減少する場合の閾値よりも大きくなるよう設定し、この演算した前記燃空比が失火限界の燃空比に該閾値を加算した値よりも大きくなるように、前記給水系統、及び排水系統の少なくとも一方の系統を流れる水の流量を制御することによって前記増湿器の水散布の運転を行うことを特徴とするガスタービンシステムの運転方法。
【発明の詳細な説明】
【技術分野】
【０００１】
本発明は、ガスタービンシステムに係わり、特に圧縮機で圧縮した空気を加湿して燃焼器にこの加湿空気を供給する増湿器を備えたガスタービンシステムと、そのガスタービンシステムの運転方法に関する。
【背景技術】
【０００２】
ガスタービンの燃焼器に供給する気体（空気）に水分を注入して加湿し、出力及び効率の向上を図る高湿分ガスタービン発電プラント（以下高湿分ガスタービンシステム）は、従来のガスタービン発電プラントに比して高効率であること、またガスエンジン，ディーゼルエンジンなどに比して窒素酸化物などの排出量を低く運転可能であることから、工場向け小規模発電、あるいは熱電併給（コジェネレーション）用途としての利用が期待されている。小規模発電プラントやコジェネレーションでは、日々の電力需要，蒸気需要の変動に応じてプラントを逐次起動停止・負荷変化する必要があることから、負荷追従性の向上や負荷変化可能な出力帯（運用負荷帯）の拡大が課題となる。空気加湿を行う前記高湿分ガスタービンシステムでは、ガスタービン燃料の増減に加えて、空気への加湿量の変化によっても出力が変動するため、負荷運転時には燃料流量とともに空気への加湿量を安定に制御して負荷追従性の向上を図る必要がある。
【０００３】
特許文献１には、空気への加湿量を制御する手段として、圧縮機から加湿装置(増湿塔)に至る空気配管から分岐して空気の一部を燃焼器に導くバイパス系統を設け、バイパス系統を流れる空気量，加湿装置の散布水の温度及び流量を制御してガスタービン燃焼器への空気加湿量を調整する方法が記載されている。
【０００４】
【特許文献１】特開平１１−１４８３７２号公報
【発明の開示】
【発明が解決しようとする課題】
【０００５】
特許文献１に記載の運転方法は、運用負荷帯内において増湿塔への水散布が継続されている場合を前提としている。しかしながら、広い運用負荷帯での負荷運転を実施する場合には、増湿塔への水散布を開始（増湿塔起動）及び停止（増湿塔停止）する運転ポイントを含めた負荷運用を考慮する必要があるが、上記文献に記載の技術では増湿塔の起動・停止を含めた広い運用負荷帯での負荷運転は考慮されていない。よって、増湿塔の起動・停止の過渡状態では散布水が急激に蒸発して加湿量が変動する現象が生じ、ガスタービン燃焼器の燃空比の変動，発電機出力の変動等を引き起こすトラブルの原因となり得る。
【０００６】
本発明の目的は、増湿塔の起動・停止を含めた広い運用負荷帯内での負荷追従運転が可能なガスタービンシステム、並びにその運転方法を提供することにある。
【課題を解決するための手段】
【０００７】
本発明の増湿器を備えたガスタービンシステムは、空気を圧縮する圧縮機と、燃料と空気を燃焼させる燃焼器と、該燃焼器で燃焼した燃焼ガスにより駆動するタービンと、該圧縮機で圧縮した空気を加湿して前記燃焼器に加湿空気を供給する増湿器を備えたガスタービンシステムにおいて、前記増湿器に散布する水を供給する給水系統と、該増湿器をバイパスして該給水系統の水を前記水回収装置に排出する排水系統とを配設し、前記燃焼器における燃空比を、燃焼器への燃料流量，圧縮機から吐出される空気圧力、及び増湿器から燃焼器に供給される空気温度から算出される加湿量に基づいて演算し、失火限界となる燃空比の値には加算すべき閾値を設定し、前記閾値は燃焼器の燃料流量を増加する場合の閾値が燃料流量を減少する場合の閾値よりも大きくなるよう設定し、この演算した前記燃空比が失火限界の燃空比に閾値を加算した値よりも大きくなるように、前記給水系統、及び排水系統の少なくとも一方の系統を流れる水の流量を制御することにより前記増湿器の水散布の運転を行う制御装置を設けるように構成したものである。
【０００８】
また、本発明の増湿器を備えたガスタービンシステムの運転方法は、空気を圧縮する圧縮機と、燃料と空気を燃焼させる燃焼器と、該燃焼器で燃焼した燃焼ガスにより駆動するタービンと、該圧縮機で圧縮した空気を加湿して前記燃焼器に加湿空気を供給する増湿器を備えたガスタービンシステムの運転方法において、前記燃焼器における燃空比を燃焼器への燃料流量，圧縮機から吐出される空気圧力、及び増湿器から燃焼器に供給される空気温度から算出される加湿量に基づいて演算し、失火限界となる燃空比の値には加算すべき閾値を設定し、前記閾値は燃焼器の燃料流量を増加する場合の閾値が燃料流量を減少する場合の閾値よりも大きくなるよう設定し、この演算した前記燃空比が失火限界の燃空比に該閾値を加算した値よりも大きくなるように、前記給水系統、及び排水系統の少なくとも一方の系統を流れる水の流量を制御することによって前記増湿器の水散布の運転を行うように構成したものである。
【発明の効果】
【０００９】
本発明によれば、増湿塔の起動・停止を含めた広い運用負荷帯内での負荷変化への追従性を大幅に向上する増湿塔を備えたガスタービンシステムを実現できる。
【発明を実施するための最良の形態】
【００１０】
増湿塔を備えたガスタービンシステムにおける増湿塔の起動・停止を含めた広い運用負荷帯内での負荷変化への追従性を大幅に向上するという目的を、燃焼器の燃空比が失火限界より大きくなるように増湿塔への水の供給量を制御することにより実現した。
【実施例１】
【００１１】
本発明を適用した高湿分ガスタービンシステムの実施例１を図１に示す。図１において、高湿分ガスタービンシステムは、空気を圧縮する圧縮機２と、燃料と空気を燃焼させる燃焼器３と、該燃焼器３で燃焼した燃焼ガスにより駆動するタービン１と、該圧縮機２で圧縮した空気を加湿して前記燃焼器３に加湿空気を供給する増湿塔８（増湿器）と、タービン１により駆動され負荷をとる発電機４を備えている。圧縮機２及び発電機４はタービン１とシャフト２０で連結されており、タービン１により圧縮機２及び発電機４を駆動するようになっている。燃焼器３には燃料ポンプ５及び燃料流量調整弁６を設けた配管４７を通じて燃料が供給されており、圧縮機２から吐出され、配管７，配管９，配管１３を通じて送給されて、空気冷却器３２，増湿塔８，再生熱交換器１１を順次経由する過程で加湿，加熱された空気と共にこの燃料が燃焼器３にて燃焼されて燃焼ガスを生成する。
【００１２】
増湿塔８には、その内部に散布水を流下させて気液接触させて空気を加湿する充填物
８ｂと、この充填物８ｂに加湿用の水を散布させる散水ノズル８ａが配設されている。増湿塔８の下部には、外部から給水する給水ポンプ２２を備えた配管４５を通じて供給されている。そして、増湿塔８の下部に溜まった給水は、増湿器である増湿塔８に散布する水を供給する給水系統を構成する増湿塔循環水ポンプ２４を備えた配管４１と、増湿塔入口流量調整弁１６を備えた配管４２を通して前記散水ノズル８ａに散布用の水を供給するようになっている。また、この給水系統を構成する配管４２から分岐して、この給水系統を流れる水を系外に排出する排水系統を構成する増湿塔ブロー弁１７を備えた配管２６が配設されている。
【００１３】
タービン１を駆動して該タービン１から排出された燃焼排ガスは、煙道１４を通じて大気に排出されるが、この煙道１４には前記再生熱交換器１１が設置されており、燃焼排ガスから熱を回収した加湿空気を、配管１３を通じて燃焼器３に供給している。再生熱交換器１１を経た燃焼排ガスを流下する煙道２８には給水過熱器１２が設置されており、増湿塔８の下部に溜まった給水を循環させている前記配管４１から分岐した配管４３を通じて給水過熱器１２にて燃焼排ガスから熱を給水に回収した後に配管４４，混合器１８を通じて前記配管４２に合流させて増湿塔８の散水ノズル８ａに散布用の水の一部として供給するようになっている。
【００１４】
また、追って詳細に説明するが、配管４２の増湿塔入口流量調整弁１６及び配管２６の増湿塔ブロー弁１７の開度を制御する増湿塔制御装置１０１、並びに、配管４７の燃料流量調整弁６の開度を制御する燃料流量制御装置１０２を夫々制御する上位のガスタービン制御装置１００が設置されている。
【００１５】
上述した増湿塔を備えたタービンプラントにおいて、空気は圧縮機２で加圧された後、配管７および空気冷却器３２を経て増湿塔８に供給され、この増湿塔８の内部で散水ノズル８ａからの散布水によって加湿される。加湿された空気は、配管９を経て再生熱交換器１１で燃焼排ガスから熱回収して昇温した後に、配管１３を経て燃焼用空気として燃焼器３に供給され、配管４７を通じて供給される燃料と共に燃焼される。
【００１６】
空気冷却器３２は、圧縮機２で得られた圧縮空気から増湿塔８に供給する散布水に熱を回収する装置である。この空気冷却器３２は、圧縮器２から吐出された高温の圧縮空気が増湿塔８の内部に流入した際、増湿塔内を流下する散布水と気液接触して散布水が沸騰・蒸発するのを防止するもので、増湿塔８における加湿空気に含まれる加湿量の急激な増加を防止する。圧縮空気から回収した熱量は、増湿塔８に供給する給水の予熱に用いる。給水は増湿塔８の下部から増湿塔循環水ポンプ２４によって配管４１を通じて空気冷却器
３２へと供給され、さらに混合器１８を経て給水系統を構成する配管４２を通じて散布水として供給され、増湿塔８の内部に散水ノズル８ａから散布される。そして、増湿塔８の水散布停止時には、配管４２の増湿塔入口流量調整弁１６を閉じ、排水系統を構成する配管２６の増湿塔ブロー弁１７を開いて、散布水を配管２６を通じて系外にブローする。また、増湿塔８の水散布開始時には、逆に、配管４２の増湿塔入口流量調整弁１６を開き、配管２６の増湿塔ブロー弁１７を閉じる。
【００１７】
増湿塔８は、塔内に封入された充填物８ｂを介して圧縮空気を加湿する装置である。塔上部の散水ノズル８ａから噴霧した散布水は充填物８ｂの表面上を流下しながら、気液接触により圧縮空気を飽和点まで加湿して加湿空気を生成する。
【００１８】
増湿塔８に供給する給水は該増湿塔８の内部に貯蔵された給水を用い、増湿塔循環水ポンプ２４を駆動して配管４３，配管４４，配管４２を通じて給水加熱器１２と増湿塔８とを循環する構成、或いは、増湿塔循環水ポンプ２４を駆動して配管４１，配管４２を通じて空気冷却器３２と増湿塔８とを循環する構成とし、増湿塔８の塔内底部に貯蔵した給水が所定量より不足した場合に給水ポンプ２２を用いて補給するようにしている。
【００１９】
また、再生熱交換器１１では、増湿塔８から送給される加湿空気にタービン１から煙道１４を通じて流下する燃焼排ガスから熱回収して加熱する。この熱回収によって加湿空気はタービンの燃焼排ガスの温度付近まで上昇する。
【００２０】
燃焼器３では、再生熱交換器１１で加熱された加湿空気、すなわち燃焼用空気と、燃料ポンプ５で加圧して配管４７を通じて供給された燃料とを混合して燃焼する。燃料流量は燃料流量調整弁６で制御する。燃焼器３で発生した燃焼ガスは、ガスタービン１を駆動した後に煙道１４，煙道２８を経てタービン系外へ排気される。タービン系外に排気された燃焼排ガスの熱エネルギーの一部は再生熱交換器１１で回収して加湿空気の加熱に用いる。
【００２１】
給水加熱器１２は、再生熱交換器１１を経た燃焼排ガスからさらに熱を回収する装置であり、給水加熱器１２で熱回収された給水は配管４４，混合器１８，配管４２を通じて増湿塔８に散布水の一部として供給されるようになっている。
【００２２】
ガスタービン１で得られた駆動力はシャフト２０を通じて圧縮機２及び発電機４を駆動するが、この駆動力の一部は圧縮機２において空気の加圧に用い、発電機４では駆動力を電力に変換する。
【００２３】
本発明の実施例である増湿塔を有するガスタービンシステムの制御方法について説明する。
【００２４】
図１及び図２において、ガスタービン制御装置１００は、中央給電指令所からの負荷要求指令(Unit Demand：ＵＤ)を受けて、ガスタービンシステムの発電出力指令(Mega Watt Demand：ＭＷＤ) を演算する装置である。一般にＵＤは、系統に接続した大規模工場の電力使用計画量や気象条件，季節，時刻などの変動要因を元に、系統内の各発電プラントに向けて送出される出力指令を指す。ＵＤの波形には矩形波や三角波などがあり、各発電プラントでは、この信号波形になるべく近い形で運用することが望ましい。
【００２５】
一方、各発電プラントにおいては、プラントの性能，安全上の制限などから負荷変化率・運用負荷帯が定められている。そこで、各発電プラントでは、前記ガスタービン制御装置１００でＵＤを入力し、プラントが定める負荷変化率，運用負荷帯に沿って、変化率制限（レートリミッタ），上下限制限などの信号処理を施すが、この信号処理後の信号が
ＭＷＤである。
【００２６】
燃料流量制御装置１０２は、前記ガスタービン制御装置１００で求めたＭＷＤを受けて、ガスタービンシステムの発電出力及び発電機の周波数（タービン回転数）を制御する装置である。増湿塔を備えていない従来の一般的なガスタービンシステムと同様、本実施例の増湿塔を備えたガスタービンシステムにおいても、発電出力，タービン回転数は燃料流量によって制御する。すなわち、発電出力を増加（負荷上昇）する場合には燃料流量を増量し、逆に出力を減少（負荷低下）する場合には燃料流量を減量する。従って、ＭＷＤに応じて燃料調整弁開度信号Ｖｆを計算し、本信号Ｖｆに基づき燃料流量調整弁６の開度を制御する。なお、発電出力の増加・減少に伴い回転数もわずかながら増減することから、回転数の管理値との偏差に応じても燃料流量を増減する。
【００２７】
なお、燃料流量制御装置１０２には、各種ガスタービンの保護手段や起動停止に必要な各種制御手段も含まれる。保護手段の一例に、タービンの排気温度が上昇して管理値を超えた場合に燃料流量を減量する排気温度制御があり、起動停止手段の一例には、ガスタービン起動時の回転数上昇を制御する昇速制御がある。排気温度制御ではタービン排気温度、昇速制御ではタービン回転数を計測して燃料流量を制御する。
【００２８】
一方、増湿塔制御装置１０１には、入力データとして、ガスタービン制御装置１００からの発電量指令ＭＷＤと、混合器１８の出口の配管４２に設けた温度検出器Ｔｗで検出された散布水温度計測値Ｔｗと、増湿塔８の出口の配管９に設けた温度検出器Ｔａで検出された加湿空気温度計測値Ｔａと、ガスタービンのシャフト２０の回転数を検出する回転数検出器Ｎで検出されたタービン回転数計測値Ｎと、圧縮機２の出口の配管７に設けた圧力検出器Ｐｃで検出された圧縮空気圧力計測値Ｐｃと、配管４７に設けた燃料流量計Ｇｆで検出された燃料流量計測値Ｇｆとが入力され、給水系統を構成する配管４２に設置された増湿塔入口流量調整弁１６の開度指令Ｖ１、及び排水系統を構成する配管２６に設置された増湿塔ブロー弁１７の開度指令Ｖ２を出力する。
【００２９】
次に、増湿塔制御装置１０１における開度指令Ｖ１，Ｖ２の計算アルゴリズムを、図２を用いて説明する。
【００３０】
空気流量計算手順１１０では、圧縮機２の出口の空気圧力Ｐｃ及びガスタービンのシャフト２０の回転数Ｎの計測値から、予め関数として入力してある圧縮機特性曲線を用いて圧縮機２の出口空気流量、すなわち増湿塔８の入口空気流量Ｇａを求める。前記圧縮機特性曲線は圧縮機の形式（軸流，遠心式）および圧縮機の性能により定まる。前記空気流量計算手順１１０による空気流量Ｇａの演算には、空気圧力Ｐｃの計測値に代えて空気流量の検出値を利用してもよい。また、空気流量Ｇａの概算値を演算する場合には、回転数Ｎが一定であることを前提にして空気圧力Ｐｃの計測値を単独に用いても可能である。
【００３１】
次に、最大空気加湿量計算手順１１１では、増湿塔８の出口の配管９に設けた出口空気温度Ｔａ，増湿塔８に散布水を供給する配管４２に設けた散布水温度Ｔｗ，増湿塔８で散水する散布水流量の設定値である散布水流量Ｇｗ０，圧縮機２の出口の配管７に設けた空気圧力Ｐｃ，前記空気流量計算手順１１０で演算した増湿塔８の入口空気流量Ｇａに基づいて、加湿後の最大空気加湿量Ｇａｗを計算する。前記の概算値を演算する場合には、散布水温度Ｔｗが一定を前提にして、出口空気温度Ｔａの計測値と空気流量計算手順１１０で演算した入口空気流量Ｇａとから演算しても可能である。
【００３２】
この最大空気加湿量計算手順１１１にて、前記最大空気加湿量Ｇａｗを厳密に計算する方法としては、熱物質収支及び充填物性能に基づく熱物質移動係数特性とから推定する方法があるが、より簡便な計算方法として、空気の飽和圧力Ｐｓから数１を用いて空気加湿量Ｇａｗを求めても良い。
【００３３】
【数１】
0004648152.tif 000002
【００３４】
このとき、空気の飽和圧力Ｐｓは飽和蒸気表ｆstm_sat 及び増湿塔出口空気温度Ｔａあるいは散布水温度Ｔｗから数２を用いて求める。
（数２）
Ｐｓ＝ｆstm_sat（max(Ｔａ，Ｔｗ)）  
空気温度Ｔａに対して散布水温度Ｔｗが高い場合には、散布水が空気を加温することにより空気温度が加湿水温度Ｔｗに近づくと考えられる。そのため、数２では飽和圧力の計算にＴａとＴｗのうち高い数値を採用している。なお、実現象では加湿水からの空気への伝熱には時間遅れを伴う。そのため、数１の最大空気加湿量Ｇａｗは、空気が含みうる湿分の将来値に相当する。
【００３５】
次に、加湿後燃空比計算手順１１２では、燃料流量計Ｇｆで検出された燃料流量Ｇｆ、前記空気流量計算手順１１０で演算した空気流量Ｇａ及び前記最大空気加湿量計算手順
１１１で演算した最大空気加湿量Ｇａｗに基づいて、数３を用いて加湿後の燃空比rFAwを求める。
【００３６】
【数３】
0004648152.tif 000003
【００３７】
次に、加湿後失火限界燃空比計算手順１１３では、前記燃料流量Ｇｆ，空気流量Ｇａ及び最大空気加湿量Ｇａｗに基づいて、燃焼器３が失火すると考えられる燃空比（失火限界燃空比）ｒＦＡｗｘを求める。なお、ｒＦＡｗｘは予め関数として入力してある図４に示す特性関数あるいは特性テーブルと、燃料流量Ｇｆとの関係から求める。尚、前記加湿後失火限界燃空比計算手順１１３では、上記演算に代えて、予め設定してある燃料流量Ｇｆに対応した失火限界燃空比の設定値ｒＦＡｗｘ０を用いてもよい。
【００３８】
次に、増湿塔起動指令計算手順１１４では、前記加湿後燃空比計算手順１１２で演算した加湿後燃空比ｒＦＡｗ、加湿後失火限界燃空比計算手順１１３で演算した失火限界燃空比ｒＦＡｗｘ、或いは失火限界燃空比の設定値ｒＦＡｗｘ０に基づいて、現在時刻における増湿塔８の運転指令状態Ｖ０′から次時刻における増湿塔８の運転指令状態Ｖ０を求める。
【００３９】
前記運転指令Ｖ０を決定する方法について、図３を用いて説明する。図３では、現在時刻の増湿塔８の状態Ｖ０′と、現在時刻の燃焼器３における燃空比の失火までの余裕度
（燃空比マージン）ΔｒＦＡを、ΔｒＦＡ＝ｒＦＡｗ−ｒＦＡｗｘとして算出し、この
ΔｒＦＡの値に基づいて、次時刻の増湿塔の状態Ｖ０を決定している。
【００４０】
燃空比マージンΔｒＦＡが、設定値ΔｒＦＡ１よりも大きく（ΔｒＦＡ＞ΔｒＦＡ１）、且つ、増湿塔８の運転が停止している場合には、増湿塔８の運転を起動状態（Ｖ０＝起動）とする。増湿塔８を起動すると、燃焼空気中の湿分量が急激に上昇して燃空比ΔrFAが過渡的に低下する。そこで、過渡的な燃空比低下の絶対値をΔｒＦＡ１とすれば、
ΔｒＦＡがΔｒＦＡ１よりも大きい場合には、燃空比マージンΔｒＦＡは常に正となる。すなわち、燃空比の過渡的な低下によっても燃焼器３は失火することなく増湿塔８の運転を安全に起動できる。
【００４１】
また、燃空比マージンΔｒＦＡが、設定値ΔｒＦＡ０よりも小さく（ΔｒＦＡ≦
ΔｒＦＡ０）、且つ、増湿塔８が起動している場合には、増湿塔８の運転を停止状態
（Ｖ０＝停止）とする。増湿塔８を停止すると、燃焼空気中の湿分量が急激に低下して燃空比ΔｒＦＡが過渡的に上昇する。そこで、ΔｒＦＡ０を燃空比ΔｒＦＡの推定誤差の絶対値とすると、ΔｒＦＡがΔｒＦＡ０を下回らない範囲で増湿塔８の運転を停止することにより、増湿塔８が起動中における燃焼器３の失火を防ぐことができる。
【００４２】
増湿塔８の加湿開始前後の燃焼器３における燃空比と、失火限界燃空比及びマージンの関係を図４に示す。図において、横軸は燃料流量Ｇｆ、縦軸は燃空比を示し、ｒＦＡは燃焼器３における加湿の無い燃空比を、ｒＦＡｗは加湿後燃空比を、ｒＦＡｗｘは加湿後失火限界燃空比を夫々表す。そして、増湿塔８を起動すると、燃焼器３における燃空比の値は、ｒＦＡからｒＦＡｗへと低下する。ｒＦＡｗがｒＦＡｗｘを下回る点Ａ以下となる燃料流量で増湿塔８を起動した場合には、燃焼器３が失火する。そのため、増湿塔８の運転起動時にはマージンΔｒＦＡが閾値（本実施例ではΔｒＦＡ１）以上となった場合に増湿塔８からの加湿を開始する。加湿により、燃空比は線分Ｂ（ｒＦＡの線上でｂ１からｂ２を通り、ｒＦＡｗの線上のｂ３に至る太線で示した線分）に示す特性で変化する。増湿塔からの加湿を開始した場合には過渡的に燃空比がｒＦＡｗより小さな値となるが、マージンとしてΔｒＦＡ１を設定しており燃焼器への失火は防ぐことができる。尚、線分Ｂ上でｂ２，ｂ３は加湿開始点を示す。
【００４３】
一方、増湿塔８の運転を停止すると、燃焼器内の燃空比はｒＦＡｗからｒＦＡへと上昇するため、ｒＦＡｗがｒＦＡｗｘを下回る点Ａより大きな値の空燃比の領域で増湿塔８の運転を停止する必要がある。そこで、増湿塔８の運転停止時においてもマージンΔｒＦＡが閾値（本実施例ではΔｒＦＡ０）以下となった場合に増湿塔８からの加湿を停止する。このときの燃空比は線分Ｃ（ｒＦＡｗの線上でｃ１からｃ２を通り、ｒＦＡの線上のｃ３に至る太線で示した線分）に示す特性となる。尚、線分Ｃ上でｃ２，ｃ３は加湿停止点を示す。
【００４４】
なお、ΔｒＦＡ０に対してΔｒＦＡ１を大きく設定する理由は、増湿塔８の運転起動時の過渡状態において、燃空比が、計画された静的安定点を下回る(アンダーシュート)ことが原因である。燃料流量の過渡的なアンダーシュートにより、マージンΔｒＦＡはさらに小さくなる。本実施例ではこのアンダーシュート量を考慮しΔｒＦＡ０に比してΔｒＦＡ１を大きく設定している。なお、アンダーシュートについては後述する。
【００４５】
再び図２を用いて説明する。
【００４６】
記憶手段１１５は、現在の時刻ｔにおける増湿塔８の状態を記憶するメモリを表す。増湿塔入口流量調整弁開度指令計算手順１１６は、現在の増湿塔８の状態Ｖ０′に基づいて増湿塔入口流量調整弁１６の開度を求め、開度指令Ｖ１として増湿塔入口流量調整弁１６の駆動装置に送信する。また、増湿塔ブロー弁開度指令計算手順１１７は、数４及び数５を用いて開度指令Ｖ１から増湿塔ブロー弁１７の開度を求め、開度指令Ｖ２として増湿塔ブロー弁１７の駆動装置に送信する。
（数４）
Ｖ１＝Ｖ０
（数５）
Ｖ２＝１００％−Ｖ１    （但しＶ１＝０〜１００％）
なお、本実施例では、増湿塔起動指令計算手順１１４に負荷指令ＭＷＤを入力している。これは、規定負荷以下において燃空比マージンが閾値を超えた場合（例えばタービン起動の際の昇速運転中）に、誤って増湿塔８が起動しないよう負荷に対して制限を設けたものである。
【００４７】
本発明の実施例である高湿分ガスタービンシステムの負荷運転でタービン負荷を最低負荷から定格負荷に増加、又は定格負荷から最低負荷に減少する場合における増湿塔制御装置１０１の制御状況を、図５を用いて説明する。
【００４８】
図５において、本発明を適用した場合の実施例である高湿分ガスタービンシステムの負荷運転制御では、タービン負荷を最低負荷から定格負荷に増加、又は定格負荷から最低負荷に減少する場合の発電出力指令（ＭＷＤ）に応じて増湿塔８の運転を制御して散布水量（Ｇｗ０）をゼロから所定の流量に、又は所定の流量からゼロに切り替える。具体的には、増湿塔制御装置１０１において、ガスタービン制御装置１００からの発電量指令ＭＷＤと、加湿後燃空比計算手順１１２で演算した加湿後の燃空比ｒＦＡｗと、加湿後失火限界燃空比計算手順１１３で演算した失火限界の燃空比ｒＦＡｗｘとから、増湿塔起動指令計算手順１１４にて現在時刻ｔにおける増湿塔８の運転指令状態Ｖ０′から次時刻における増湿塔８の運転指令状態Ｖ０を求める。そして、燃空比の失火までの余裕度（燃空比マージン）ΔｒＦＡを考慮して次時刻ｔ０２又はｔ１の増湿塔の状態Ｖ０を決定して増湿塔８の運転を安全に起動又は停止することによって燃焼器３の失火を防いでいる。
【００４９】
そして、この増湿塔入口流量調整弁開度指令計算手順１１６で増湿塔入口流量調整弁
１６の開度を求めて開度指令Ｖ１として次時刻ｔ０２又はｔ１に増湿塔入口流量調整弁
１６を制御し、また、増湿塔ブロー弁開度指令計算手順１１７で増湿塔ブロー弁１７の開度を求めて次時刻ｔ０２又はｔ１に開度指令Ｖ２を制御する。
【００５０】
また、上述した各制御機器により増湿塔８の運転を行う増湿塔入口流量調整弁１６及び増湿塔ブロー弁１７の開度を制御するタイミングは以下の通りである。
【００５１】
最低負荷から定格負荷への負荷上昇時には、ＭＷＤに応じてタービン負荷である発電出力ＭＷが増加し始める時刻ｔ０２よりＴ２時間だけ早い時刻ｔ２において増湿塔８の散布水をゼロから定格の流量に対応した開度指令Ｖ１で先行して増加させ散布を開始する。そのため、時刻ｔ２で開度指令Ｖ１を０％から１００％に切り替え、当該切り替えに伴い、開度指令Ｖ２は１００％から０％となる。そうすると、増湿塔８の出口における空気加湿量Ｇａｗが時刻ｔ２から徐々に増加するので、発電出力ＭＷの増加に応じた燃料流量Ｇｆの増量に対応して負荷追従性が向上し、燃焼ガス温度や排気ガス温度には変化を与えずにほぼ一定に保持できる。よって、ＭＷＤとタービン負荷の発電出力（ＭＷ）との間に生じる偏差を大幅に抑制できる。なお、本実施例の制御では、発電出力を最低負荷から定格負荷に負荷上昇させる際の代表的な負荷変化率である８.３％／minの場合、負荷指令の出力に対して実出力との偏差（通常約１５％の偏差発生）を２０％以上も低減することができ、大きな改善効果を得られた。
【００５２】
次に、定格負荷から最低負荷への負荷減少時には、ＭＷＤに応じてタービン負荷である発電出力ＭＷが減少し始める時刻ｔ０１よりＴ１時間遅い時刻ｔ１から増湿塔８の散布水を定格の流量よりゼロに対応した開度指令Ｖ１で後行して減少させ散布を停止する。そうすると、増湿塔内に残留する散布水が負荷変化中の時刻ｔ１から除々に蒸発するので、増湿塔８の出口における空気加湿量Ｇａｗが時刻ｔ１から定格より徐々に減少して、燃料流量のアンダーシュート幅は小さくなり、発電出力ＭＷの減少に応じた燃料流量Ｇｆの減量に対応でき、燃焼ガス温度や排気ガス温度には大きな変化を与えずにほぼ一定に保持できる。よって、ＭＷＤとタービン負荷の発電出力（ＭＷ）との間に生じる偏差を大幅に抑制できる。
【００５３】
したがって、燃焼器の燃空比は常に失火限界を回避した値に保持され、タービンのトリップは防止される。
【００５４】
なお、本実施例の増湿塔制御装置１０１では、空気流量Ｇａを計算する手段として空気流量計算手順１１０を設けたが、圧縮機入口あるいは圧縮機出口から燃焼器入口までの空気配管に流量計を設け、この流量計測結果から増湿塔入口における乾燥空気の流量Ｇａを求めてもよい。
【００５５】
また、同じく本実施例の増湿塔制御装置１０１では、最大空気加湿量Ｇａｗを計算する手段として最大空気加湿量計算手順１１１を設けたが、増湿塔出口から燃焼器入口までの空気配管に湿度計，露点計を設け、これら計測結果から増湿塔出口における最大空気加湿量Ｇａｗを求めてもよい。
【００５６】
なお、本実施例の高湿分ガスタービン装置では、空気冷却器３２及び給水加熱器１２からの散布水を混合器１８で混合し、増湿塔入口流量調整弁１６及び増湿塔ブロー弁１７で増湿塔８への流路を切り替えたが、流量調整弁１６及びブロー弁１７をそれぞれ混合器
１８の上流に配し、これらの弁の切り替えにより増湿塔を起動・停止する構成としてもよい。
【００５７】
次に、本発明の実施例である高湿分ガスタービンシステムの負荷運転でタービン負荷を部分負荷Ｌ１から定格負荷に増加、又は定格負荷から部分負荷Ｌ１に減少する場合における増湿塔制御装置１０１の制御状況を、図６を用いて説明する。
【００５８】
図６において、タービン負荷を部分負荷Ｌ１から定格負荷に増加、又は定格負荷から部分負荷Ｌ１に減少する場合の発電出力指令（ＭＷＤ）に応じて増湿塔８の運転を制御して散布水量（Ｇｗ０）をＧｗ０１から所定の流量に、又は所定の流量からＧｗ０１に切り替える。具体的には、増湿塔制御装置１０１において、ガスタービン制御装置１００からの発電量指令ＭＷＤと、加湿後燃空比計算手順１１２で演算した加湿後の燃空比ｒＦＡｗと、加湿後失火限界燃空比計算手順１１３で演算した失火限界の燃空比ｒＦＡｗｘとから、増湿塔起動指令計算手順１１４にて現在時刻ｔにおける増湿塔８の運転指令状態Ｖ０′から次時刻における増湿塔８の運転指令状態Ｖ０を求める。そして、燃空比の失火までの余裕度（燃空比マージン）ΔｒＦＡを考慮して次時刻ｔ２′又はｔ１′の増湿塔の状態Ｖ０を決定して増湿塔８の運転を安全に起動、又は停止することによって燃焼器３の失火を防いでいる。
【００５９】
そして、この増湿塔入口流量調整弁開度指令計算手順１１６で増湿塔入口流量調整弁
１６の開度を求めて開度指令Ｖ１として次時刻ｔ０２′又はｔ１′に増湿塔入口流量調整弁１６を制御し、また、増湿塔ブロー弁開度指令計算手順１１７で増湿塔ブロー弁１７の開度を求めて次時刻ｔ０２′又はｔ１′に開度指令Ｖ２を制御する。
【００６０】
また、上述した各制御機器により増湿塔８の運転を行う増湿塔入口流量調整弁１６及び増湿塔ブロー弁１７の開度を制御するタイミングは以下の通りである。
【００６１】
部分負荷Ｌ１から定格負荷への負荷上昇時には、ＭＷＤに応じてタービン負荷である発電出力ＭＷが増加し始める時刻ｔ０２′よりＴ２′時間早い時刻ｔ２′において増湿塔８の散布水をＧｗ０１から所定の流量に対応した開度指令Ｖ１で増加させて先行して散布を開始する。そのため、時刻ｔ２′で開度指令Ｖ１は散布水量Ｇｗ０１だけ供給するために必要な開度から、１００％に切り替える。当該切り替えに伴い、開度指令Ｖ２は数５に基づいてその開度を変更する。そうすると、増湿塔８の出口における空気加湿量Ｇａｗが時刻ｔ２′からＧａｗ１より徐々に増加するので、発電出力ＭＷの増加に応じた燃料流量
Ｇｆの増量に対応して負荷追従性が向上し、燃焼ガス温度や排気ガス温度には変化を与えずにほぼ一定に保持できる。よって、ＭＷＤとタービン負荷の発電出力（ＭＷ）との間に生じる偏差を大幅に抑制できる。
【００６２】
次に、定格負荷から部分負荷Ｌ１への負荷減少時には、ＭＷＤに応じてタービン負荷である発電出力ＭＷが減少し始める時刻ｔ０１′よりＴ１′時間遅い時刻ｔ１′において増湿塔８の散布水を定格の流量よりＧｗ０１に対応した開度指令Ｖ１で後行して減少させ散布水量を減じる。そのため、時刻ｔ１′で開度指令Ｖ１は１００％から散布水量Ｇｗ０１だけ供給するために必要な開度に切り替える。当該切り替えに伴い、開度指令Ｖ２は数５に基づいてその開度を変更する。そうすると、増湿塔内の散布水が負荷変化中の時刻
ｔ１′から徐々に蒸発するので、増湿塔の出口における空気加湿量Ｇａｗが時刻ｔ１′から定格よりＧａｗ１に徐々に低下して、燃料流量のアンダーシュート幅は小さくなり、発電出力ＭＷの減少に応じた燃料流量Ｇｆの減量に対応でき、燃焼ガス温度や排気ガス温度には大きな変化を与えずにほぼ一定に保持できる。よって、ＭＷＤとタービン負荷の発電出力（ＭＷ）との間に生じる偏差を大幅に抑制できる。
【００６３】
したがって、燃焼器の燃空比は常に失火限界を回避した値に保持され、タービンのトリップは防止される。
【００６４】
以上のように本実施例では、増湿器である増湿塔８に散布する水を供給する給水系統
４２と、給水系統４２から分岐してこの給水系統の水を系外に排出する排水系統２６とを配設し、加湿後燃空比計算手順１１２から得られる燃焼器３における燃空比ｒＦＡｗを演算して、この燃空比が失火限界となる燃空比ｒＦＡｗｘよりも大きくなるように給水系統及び排水系統の少なくとも一方の系統を流れる水の流量を制御している。即ち、図４において増湿塔を起動した場合、燃焼器３における加湿のない燃空比ｒＦＡ（点ｂ２）が、本来予測される加湿後燃空比ｒＦＡｗ（点ｂ３）より低下した場合でも、失火限界となる燃空比ｒＦＡｗｘより大きくなるように給水系統を構成する配管４２、及び排水系統を構成する配管２６の少なくとも一方の系統を流れる水の流量を制御する。そのため、発電出力ＭＷの増加に応じた燃料流量Ｇｆの増量に対応して増湿塔の起動・停止を含めた広い運用負荷帯内での負荷追従性が大幅に向上し、燃焼ガス温度や排気ガス温度には変化を与えずにほぼ一定に保持できる。よって、ＭＷＤとタービン負荷の発電出力（ＭＷ）との間に生じる偏差を大幅に抑制できる。
【００６５】
また、本実施例では、増湿塔８に散布する水を供給する給水系統４２と、増湿塔８をバイパスして給水系統の水を系外に排出する排水系統２６とを配設し、増湿塔８である増湿器から燃焼器３に供給される加湿空気の空気温度Ｔａに基づき加湿量を演算し、この加湿量に基づき燃焼器３における燃空比を演算して、この燃空比が失火限界となる燃空比よりも大きくなるように給水系統及び排水系統の少なくとも一方の系統を流れる水の流量を制御している。即ち、図２において空気加湿量を計算する際に、散布水温度Ｔｗを一定として、数１及び数２に基づき、加湿空気の空気温度Ｔａのみで簡易に空気加湿量Ｇａｗを求めることが可能である。
【００６６】
また、本実施例では、増湿塔８に散布する水を供給する給水系統４２と、増湿塔８をバイパスして給水系統の水を水回収装置２９に排出する排水系統２６とを配設し、燃焼器における燃空比を、燃焼器３への燃料流量Ｇｆ，圧縮機２から吐出される空気圧力Ｐｃ、及び増湿器である増湿塔８から燃焼器３に供給される空気温度Ｔａによる加湿量Ｇａｗに基づいて演算し、この燃空比が失火限界となる燃空比よりも大きくなるように給水系統及び排水系統の少なくとも一方の系統を流れる水の流量を制御する。このように、図２において、空気流量計算手順１１０で増湿塔８の入口空気流量Ｇａを求める際に、タービン回転数Ｎが一定であることを前提にすることで簡易に空気流量Ｇａを計算しておくことが出来る。
【００６７】
また、本実施例では、増湿塔８に散布する水を供給する給水系統４２と、増湿塔８をバイパスして給水系統の水を水回収装置２９に排出する排水系統２６とを配設し、燃焼器３における燃空比を、燃焼器３への燃料流量Ｇｆ，圧縮機２から吐出される空気圧力Ｐｃ、及び増湿器である増湿塔８から燃焼器３に供給される空気温度Ｔａから算出される加湿量Ｇａｗに基づいて演算し、失火限界となる燃空比の値には加算すべき閾値としてΔｒＦＡを設定し、この閾値は燃焼器３の燃料流量を増加する場合の閾値ΔｒＦＡ１が燃料流量を減少する場合の閾値ΔｒＦＡ２よりも大きくなるよう設定し、この演算した燃空比が失火限界の燃空比に閾値を加算した値よりも大きくなるように、給水系統及び排水系統の少なくとも一方の系統を流れる水の流量を制御する。即ち、燃焼器３の燃料流量を増加する場合の閾値ΔｒＦＡ１が燃料流量を減少する場合の閾値ΔｒＦＡ２よりも大きくなるよう設定することで、増湿塔８の運転起動時の過渡状態において燃空比が計画された静的安定点を下回っても（アンダーシュート）、燃焼器の燃空比が失火限界燃空比を下回らないようにすることが可能である。
【００６８】
また、本実施例では、増湿塔８に散布する水を供給する給水系統４２と、増湿塔８をバイパスして給水系統の水を水回収装置２９に排出する排水系統２６とを配設し、水回収装置２９で回収した水を水回収装置２９から増湿塔８に供給する供給水系統である配管４５を配設し、燃焼器３に供給する燃料の流量を計測する燃料流量検出器Ｇｆと、圧縮機２から吐出される圧縮空気の圧力を計測する空気圧力検出器Ｐｃと、増湿塔８から燃焼器３に供給される空気温度を計測する空気温度検出器Ｔａを夫々設置し、燃焼器における燃空比を、これらの各検出器で検出された燃料流量，空気圧力、及び空気温度による加湿量に基づいて演算して、この燃空比が失火限界となる燃空比よりも大きくなるように給水系統及び排水系統の少なくとも一方の系統を流れる水の流量を制御する。このように、増湿塔８をバイパスして給水系統の水を水回収装置２９に排出する排水系統２６を配設し、水回収装置２９で回収した水を水回収装置２９から増湿塔８に供給する供給水系統である配管
４５を備えることで、燃焼器３で燃料の燃焼により生成された水分を燃焼排ガスから回収しているため、ガスタービンシステムの系外から供給する水量を低減することが出来る。
【００６９】
また、本実施例では、増湿塔８に散布する水を供給する給水系統４２と、増湿塔８をバイパスして給水系統の水を系外に排出する排水系統２６とを配設し、燃焼器３に供給する燃料の流量を計測する燃料流量検出器Ｇｆと、圧縮機２から吐出される圧縮空気の圧力を計測する空気圧力検出器Ｐｃと、増湿塔８から燃焼器３に供給される空気温度を計測する空気温度検出器Ｔａを夫々設置し、燃焼器における燃空比を、これらの各検出器で検出された燃料流量，空気圧力、及び空気温度による加湿量に基づいて演算して、この燃空比が失火限界となる燃空比よりも大きくなるように給水系統及び排水系統の少なくとも一方の系統を流れる水の流量を制御する。このように、図２において、空気流量計算手順１１０で増湿塔８の入口空気流量Ｇａを求める際に、タービン回転数Ｎが一定であることを前提にすることで簡易に空気流量Ｇａを計算しておくことが出来る。
【００７０】
また、本実施例では、増湿塔８に散布する水を供給する給水系統４２と、増湿塔８をバイパスして給水系統の水を系外に排出する排水系統２６とを配設し、タービンの負荷増加時に、給水系統４２、及び排水系統２６の少なくとも一方の系統を流れる水の流量を、負荷増加に先行させて増加させ、タービンの負荷減少時に、給水系統４２、及び排水系統
２６の少なくとも一方の系統を流れる水の流量を、負荷減少に後行させて減少させるように制御する。即ち、図５に示すように、負荷増加（発電出力の増加）させるｔ０２より
Ｔ２時間だけ先行させて給水系統４２を流れる水の流量を増加させている。そうすると、増湿塔８の出口における空気加湿量Ｇａｗが時刻ｔ２から徐々に増加するので、発電出力ＭＷの増加に応じた燃料流量Ｇｆの増量に対応して負荷追従性が向上し、燃焼ガス温度や排気ガス温度には変化を与えずにほぼ一定に保持できる。よって、ＭＷＤとタービン負荷の発電出力（ＭＷ）との間に生じる偏差を大幅に抑制できる。また、負荷減少（発電出力の減少）させるｔ０１よりＴ１時間だけ後行させて給水系統４２を流れる水の流量を減少させている。そうすると、増湿塔内に残留する散布水が負荷変化中の時刻ｔ１から除々に蒸発するので、増湿塔８の出口における空気加湿量Ｇａｗが時刻ｔ１から定格より徐々に減少して、燃料流量のアンダーシュート幅は小さくなり、発電出力ＭＷの減少に応じた燃料流量Ｇｆの減量に対応でき、燃焼ガス温度や排気ガス温度には大きな変化を与えずにほぼ一定に保持できる。よって、ＭＷＤとタービン負荷の発電出力（ＭＷ）との間に生じる偏差を大幅に抑制できる。燃焼器の燃空比は常に失火限界を回避した値に保持され、タービンのトリップは防止される。
【実施例２】
【００７１】
本発明の高湿分ガスタービンシステム及び制御装置の第２の実施例を図７に示す。
【００７２】
図７において、本件第２の実施例における高湿分ガスタービンシステムは、図１に示した第１の実施例における高湿分ガスタービンシステムと基本構成は共通しているのでこれら共通した基本構成の説明、並びに図５，図６に関する高湿分ガスタービンシステムの負荷運転制御の状況の説明は省略して、相違している部分につき以下に説明する。
【００７３】
この第２の実施例では、増湿塔停止時に不要となる増湿塔８への散布水を回収する水回収装置２９と、増湿塔８での散布が不要となった散布水を配管２６を通じて水回収装置
２９に供給する系統を備えたものである。水回収装置２９では、排ガス中に含まれる水分、すなわち増湿塔８で加湿した空気加湿分及び燃焼器３で燃料の燃焼により生成された水分を燃焼排ガスから回収する。前記水回収装置２９は水を貯留するタンクの機能を有し、貯留した下部水を給水ポンプ３４，熱交換器３３，除熱装置３５，配管４８を通じて供給し、ノズル３０から水回収装置２９の内部で散布して、排ガス中の水分を凝縮・落下させて水を回収する。また、燃焼排ガスは煙道２８を通じて水回収装置２９に導かれた後に排気塔３１から外部に排出される。また、水回収装置２９からは貯留した下部水を配管４５を通じて給水として増湿塔８の底部に供給している。
【００７４】
本実施例の高湿分ガスタービンシステムでは、増湿塔８の運転停止時には増湿塔入口流量調整弁１６を閉じる一方、増湿塔ブロー弁１７を開くことにより、増湿塔８では不要となった散布水を配管２６を通じて水回収装置２９にブローする。また、水回収装置２９に貯留された水は配管４５に備えられた給水ポンプ２２により増湿塔８に供給して、水回収装置２９と増湿塔８との間を給水が循環する構成とする。そして、給水循環時には空気冷却器３２及び給水加熱器１２で回収した熱により散水ノズル８ａから散布される噴霧水温度が上昇するので、本実施例では水回収装置２９内の給水を熱交換器３３及び除熱装置
３５で冷却する構成とし、除熱した給水を装置上部から散布している。
【００７５】
本実施例により、ガスタービンの負荷変化への追従性を大幅に向上する増湿塔を備えたガスタービンシステム、及びその運転方法を提供することができる。
【００７６】
本発明の実施例によれば、増湿塔の起動・停止を含めた広い運用負荷帯内で燃焼器における燃空比を考慮した増湿塔運転が可能となる。そのため、増湿塔起動時及び停止時を含めた広い運用負荷帯内におけるガスタービン燃焼器の燃焼安定性が保証される。また、燃料流量に応じた増湿塔起動停止運転が可能となる。特に高湿分ガスタービンシステムは、その特性として負荷変化時に燃料流量が静的な安定点に対して行き過ぎる特性となるため、負荷変化時にこの特性を利用して増湿塔への先行的な水散布が可能となる。その結果、負荷追従性が向上する。また、増湿塔の起動・停止状態にかかわらずプラントを負荷運転することが可能となり、より柔軟なプラント運用が可能となる。
【産業上の利用可能性】
【００７７】
増湿塔を有するガスタービンシステムに適用可能である。
【図面の簡単な説明】
【００７８】
【図１】本発明の一実施例である高湿分ガスタービンプラントを示すプラント構成図。
【図２】本発明の実施例である図１の高湿分ガスタービンプラントに適用する増湿塔制御装置の一例を示す制御構成図。
【図３】本発明の実施例である図２の増湿塔制御装置による増湿塔の運転の概略を示す説明図。
【図４】本発明の実施例である図２の増湿塔制御装置による増湿塔の運転の概略であるガスタービン燃焼器の燃空比と失火限界との関係を示す説明図。
【図５】本発明の実施例である図２の増湿塔制御装置による高湿分ガスタービンプラントと増湿塔の運転状況との関係を示す制御特性図。
【図６】本発明の実施例である図２の増湿塔制御装置による高湿分ガスタービンプラントと増湿塔の運転状況との関係を示す部分負荷運転時の制御特性図。
【図７】本発明の他の実施例における高湿分ガスタービンプラントを示すプラント構成図。
【符号の説明】
【００７９】
１…タービン、２…圧縮機、３…燃焼器、４…発電機、５…燃料ポンプ、６…燃料流量調整弁、７…配管、８…増湿塔、８ａ…散水ノズル、８ｂ…充填物、１０…水位調整弁、１１…再生熱交換器、１２…給水加熱器、９，１３，２６，４１，４４，４５，４７，
４８…配管、１４，２８…煙道、１６…増湿塔入口流量調整弁、１７…増湿塔ブロー弁、１８…混合器、２０…シャフト、２２，３４…給水ポンプ、２４…増湿塔循環水ポンプ、２９…水回収装置、３０…ノズル、３１…排気塔、３２…空気冷却器、３３…熱交換器、３５…除熱装置、１００…ガスタービン制御装置、１０１…増湿塔制御装置、１０２…燃料流量制御装置、１１０…空気流量計算手順、１１１…最大空気加湿量計算手順、１１２…加湿後燃空比計算手順、１１３…加湿後失火限界燃空比計算手順、１１４…増湿塔起動指令計算手順、１１５…記憶手段、１１６…増湿塔入口流量調整弁開度指令計算手順。
【図１】
0004648152.tif 000004
【図２】
0004648152.tif 000005
【図３】
0004648152.tif 000006
【図４】
0004648152.tif 000007
【図５】
0004648152.tif 000008
【図６】
0004648152.tif 000009
【図７】
0004648152.tif 000010